(57)【要約】【課題】防水性であり、ソール６がアッパー４から離脱しない釣り用履き物２の提供。【解決手段】釣り用履き物２は、アッパー４、ソール６、フェルト８、面ファスナー１０、内材１２、リベット１４及びインソール１５を備えている。アッパー４は、本体１６、芯板２０及びスペーサー２２を備えている。ソール６は、基部２８及び起立部３０を備えている。ソール６は、接着剤により、アッパー４に接合されている。内材１２は、アッパー４に収容されている。内材１２は、袋状である。内材１２は、透湿防水性材料からなる。リベット１４は、内フランジ４０、軸４２及び外フランジ４４を備えている。軸４２は、芯板２０、スペーサー２２及びソール６を貫通している。リベット１４により、アッパー４からのソール６の離脱が阻止されている。リベット１４は、内材１２を貫通していない。内材１２には、リベット１４に起因する孔が形成されていない。【選択図】図２
2008194370.tif 000002
【特許請求の範囲】
【請求項１】
アッパー、
このアッパーに収容されており、防水性材料からなり、袋状である内材、
このアッパーの底に取り付けられたされたソール
及び
アッパーとソールとを貫通するリベット
を備えた釣り用履き物。
【請求項２】
上記アッパーが、このアッパーの底を形成する芯板を備えており、
上記リベットが、この芯板とソールとを貫通している請求項１に記載の履き物。
【請求項３】
上記ソールが、基部と、この基部の周縁においてこの基部から起立する起立部とを備えており、
上記リベットが、この起立部とアッパーとを貫通している請求項１に記載の履き物。
【請求項４】
上記リベットが中空である請求項３に記載の履き物。
【請求項５】
フランジと軸とを備えたリベットが、このフランジがアッパーの内面に接するように、このアッパーを通される工程、
このアッパーに、防水性材料からなり袋状である内材が収容される工程、
この軸がソールに通され、かつこのソールが接着剤によってアッパーと接合される工程
及び
この軸がかしめられて、外フランジが形成される工程
を含む釣り用履き物の製造方法。
【発明の詳細な説明】
【技術分野】
【０００１】
本発明は、釣り人に着用される履き物に関する。
【背景技術】
【０００２】
釣り用履き物は、アッパー及びソールを備えている。ソールは、アッパーの底に接合されている。接合には、接着剤が用いられる。典型的な接着剤は、ポリウレタンを基材とする。
【０００３】
海釣りでは、波が履き物にかかり、この履き物の内部に海水が浸入することがある。雨天時の釣りでは、雨水が履き物の内部に浸入することがある。水の浸入は、釣り人に不快感を与える。
【０００４】
株式会社シマノ発行の「2005 Fishing Tackle Catalogue」の第１９７ページには、アッパーにゴアテックス（登録商標）のブーティが収容された釣り用履き物が開示されている。このブーティは防水性なので、このブーティにより水の浸入が阻止される。このブーティは透湿性なので、この履き物では蒸れが生じにくい。製造の都合上、ブーティがアッパーに収容された後、アッパーがソールと接合される。
【非特許文献１】株式会社シマノ発行の「2005 Fishing Tackle Catalogue」
【発明の開示】
【発明が解決しようとする課題】
【０００５】
接着剤は、経時変化によって劣化する。劣化により、ソールがアッパーから剥離してしまうことがある。海釣りでは、履き物が海水に濡れることが多い。この海水に含まれる塩分により、接着剤の劣化が促進される。特にポリウレタンを基材とする接着剤が海水に曝されると、加水分解によって激しい劣化が生じる。
【０００６】
履き物は、繰り返しの使用によりソールの摩耗又はアッパーの損傷が進行し、やがて寿命を迎える。通常の使用頻度であれば、寿命までにソールが剥離することはない。しかし、使用頻度が極めて少なく、かつ海水に濡れたまま放置されることが多い場合、摩耗又は損傷が進行していないにもかかわらず、ソールがアッパーから剥離することがある。釣り場においてソールがアッパーから離脱すると、釣り人は釣りを継続することができず、場所の移動にも苦労を伴う。
【０００７】
アッパーとソールとが縫合されれば、ソールの離脱は生じない。しかし、縫合によってブーティに孔が生じる。この孔を通じ、水が履き物の内部に浸入してしまう。
【０００８】
本発明の目的は、防水性であり、かつソールがアッパーから離脱しない釣り用履き物の提供にある。
【課題を解決するための手段】
【０００９】
本発明に係る釣り用履き物は、
アッパー、
このアッパーに収容されており、防水性材料からなり、袋状である内材、
このアッパーの底に取り付けられたされたソール
及び
アッパーとソールとを貫通するリベット
を備える。
【００１０】
アッパーが、このアッパーの底を形成する芯板を備えてもよい。リベットは、この芯板とソールとを貫通しうる。
【００１１】
ソールが、基部と、この基部の周縁においてこの基部から起立する起立部とを備えてもよい。リベットは、この起立部とアッパーとを貫通しうる。好ましくは、リベットは中空である。
【００１２】
本発明に係る釣り用履き物の製造方法は、
フランジと軸とを備えたリベットが、このフランジがアッパーの内面に接するように、このアッパーを通される工程、
このアッパーに、防水性材料からなり袋状である内材が収容される工程、
この軸がソールに通され、かつこのソールが接着剤によってアッパーと接合される工程
及び
この軸がかしめられて、外フランジが形成される工程
を含む。
【発明の効果】
【００１３】
この釣り用履き物では、リベットにより、アッパーとソールとが堅固に接合される。この履き物では、ソールの離脱が生じない。この履き物では、内材の防水性が阻害されることがない。
【発明を実施するための最良の形態】
【００１４】
以下、適宜図面が参照されつつ、好ましい実施形態に基づいて本発明が詳細に説明される。
【００１５】
図１は、本発明の一実施形態に係る釣り用履き物２が示された正面図である。図２は、図１のII−II線に沿った拡大断面図である。図２には、この履き物２の一部が示されている。この履き物２は、アッパー４、ソール６、フェルト８、面ファスナー１０、内材１２、リベット１４及びインソール１５を備えている。
【００１６】
アッパー４は、本体１６、ベロ１８、芯板２０、スペーサー２２及び紐２４を備えている。本体１６は、布製である。典型的には、本体１６にメッシュ状の布が用いられる。本体１６が、合成樹脂又はゴムからなってもよい。ベロ１８は、本体１６と同様の材料からなる。ベロ１８が、スポンジを含んでもよい。芯板２０は、紙素材からなる。芯板２０は、アッパー４の底を形成する。図２に示されるように、本体１６の下端は折り曲げられている。この折り曲げにより、縁部２６が形成されている。縁部２６は、芯板２０の下側に位置している。スペーサー２２は、芯板２０の下面に貼り付けられている。スペーサー２２は、左右の縁部２６に挟まれている。スペーサー２２は、布製である。
【００１７】
ソール６は、ゴム又は合成樹脂を基材とする。典型的な基材は、エチレン−酢酸ビニル共重合体（ＥＶＡ）である。ソール６は、アッパー４の底に取り付けられている。この取付は、接着剤によって達成される。接着剤の基材ポリマーとしては、ポリウレタン、ポリクロロプレン及びアクリロニトリル−ブタジエン共重合体が例示される。ポリウレタンが好ましい。
【００１８】
ソール６は、基部２８と、起立部３０とを備えている。基部２８と起立部３０とは、一体的に成形されている。起立部３０は、基部２８の周縁においてこの基部２８から起立している。図２に示されるように、起立部３０は本体１６の外面に接合されている。基部２８の下面には、くぼみ３２が形成されている。
【００１９】
面ファスナー１０は、フック面３４とループ面３６とを備えている。フック面３４は、ソール６に接合されている。ループ面３６は、フェルト８に接合されている。フック面３４がフェルト８に接合され、ループ面３６がソール６に接合されてもよい。典型的な面ファスナー１０は、ベルクロ社のマジックテープ（登録商標）である。
【００２０】
フェルト８は、面ファスナー１０によってソール６と積層されている。フェルト８は、接地面３８を有する。この接地面３８は、地面と直接に接触する。フェルト８は、釣り場でのスリップを抑制する。地面との擦動によって接地面３８が摩耗した場合、フェルト８がソール６から剥がされる。そして、新たなフェルト８が面ファスナー１０によって取り付けられる。
【００２１】
内材１２は、アッパー４に収容されている。内材１２は、アッパー４の内面に沿っている。内材１２は、袋状である。内材１２は、ヒトの足を覆う形状を呈する。内材１２は、透湿防水性材料からなる。この内材１２は、液体である水の分子を透過させない。この内材１２は、気体である水の分子を透過させうる。典型的な透湿防水性材料は、ゴアテックス（登録商標）である。
【００２２】
リベット１４は、金属材料からなる。リベット１４は、中空である。リベット１４は、内フランジ４０、軸４２及び外フランジ４４を備えている。内フランジ４０は、芯板２０の上面に沿っている。軸４２は、芯板２０、スペーサー２２及びソール６を貫通している。外フランジ４４は、くぼみ３２に位置している。リベット１４により、アッパー４とソール６とが堅固に固定されている。リベット１４は、内材１２を貫通していない。図２には、幅方向に沿って存在する一対のリベット１４が示されている。複数のリベット１４が、前後方向に並べられてもよい。
【００２３】
この履き物２では、海水に曝されることにより、アッパー４とソール６との間の接着剤が劣化することがある。劣化により、アッパー４からソール６が剥離する。この履き物２では、リベット１４によってソール６がアッパー４に固定されているので、剥離が生じてもソール６がアッパー４から離脱しない。釣り場で剥離が生じても、釣り人は釣りを継続することができ、歩行によって場所を移動することもできる。
【００２４】
前述の通り、リベット１４は内材１２を貫通していない。従って、内材１２にはリベット１４に起因する孔が生じていない。この内材１２により、履き物２の内部への水の浸入が阻止される。この履き物２は、防水性に優れる。釣り人は、この履き物２を快適に利用することができる。
【００２５】
内材１２は透湿性なので、発汗によって生じた水蒸気は、内材１２を通過して履き物２の外部へと排気されうる。釣り人は、蒸れを感じない。釣り人は、この履き物２を快適に利用することができる。
【００２６】
図３から６は、図２の履き物２の製造方法が説明されるための断面図である。図３には、アッパー４及びリベット１４が示されている。リベット１４は、内フランジ４０と軸４２とからなる。この段階では、リベット１４に外フランジ４４（図２参照）は形成されていない。軸４２は、芯板２０及びスペーサー２２を貫通している。内フランジ４０は、芯板２０の上面に接している。好ましくは、接着剤により、内フランジ４０が芯板２０に接合される。
【００２７】
このアッパー４に、内材１２が収容される。図４には、内材１２が示されている。内材１２は、アッパー４の内面に沿っている。内面により、内フランジ４０が覆われている。リベット１４がアッパー４を通された後にこのアッパー４に内材１２が収容されるので、内材１２には、リベット１４に起因する孔が生じない。
【００２８】
このアッパー４に、接着剤によってソール６が貼り付けられる。図５には、ソール６が示されている。貼り付けのとき、リベット１４の軸４２は、ソール６に予め形成された孔４６を通される。平面視において、孔４６の位置はくぼみ３２の位置と一致している。図５に示されるように、軸４２の下端はくぼみ３２に至っている。
【００２９】
図６に示されるように、軸４２の下端がかしめられ、外フランジ４４が形成される。外フランジ４４は、くぼみ３２に位置する。アッパー４及びソール６が、内フランジ４０及び外フランジ４４に挟まれることにより、ソール６がアッパー４に固定される。履き物２の製造の都合上、ソール６がアッパー４に取り付けられる前に、アッパー４に内材１２が収容される必要がある。本発明に係る製法方法では、アッパー４に内材１２が収容される前に、予めリベット１４がアッパー４を貫通するので、内材１２に孔が生じない。この製造方法により、防水性に優れ、しかもアッパー４からのソール６の離脱が生じにくい履き物２が得られる。
【００３０】
図７は、本発明の他の実施形態に係る釣り用履き物４８の一部が示された断面図である。この履き物４８は、アッパー５０、ソール５２、フェルト８、面ファスナー１０、内材１２、リベット１４及びインソール１５を備えている。フェルト８、面ファスナー１０、内材１２、リベット１４及びインソール１５の構成は、図１から６に示された履き物２のそれらと同等である。
【００３１】
アッパー５０は、本体５４、芯板５６及びスペーサー５８を備えている。本体５４は、側壁６０と縁部６２とを備えている。側壁６０には、孔６４が形成されている。図２に示された履き物２とは異なり、芯板５６及びスペーサー５８には、孔は形成されていない。ソール５２は、基部６６と起立部６８とを備えている。起立部６８には、孔７０が形成されている。
【００３２】
リベット１４は、中空である。リベット１４は、内フランジ４０、軸４２及び外フランジ４４を備えている。内フランジ４０は、側壁６０の内面に沿っている。軸４２は、側壁６０及び起立部６８を貫通している。外フランジ４４は、側壁６０の外面に沿っている。リベット１４により、アッパー５０とソール５２とが堅固に固定されている。リベット１４は、内材１２を貫通していない。図７には、幅方向に沿って存在する一対のリベット１４が示されている。複数のリベット１４が、前後方向に並べられてもよい。
【００３３】
この履き物４８の製造では、内フランジ４０及び軸４２を備えたリベット１４が、内から外に向かって、側壁６０を通される。内フランジ４０は、接着剤により、側壁６０の内面に接合される。次に、内材１２がアッパー５０に収容される。次に、軸４２がかしめられ、外フランジ４４が形成される。この履き物４８の製造では、アッパー５０に内材１２が収容される前に、予めリベット１４がアッパー５０を貫通するので、内材１２に孔が生じない。この製造方法により、防水性に優れ、しかもアッパー５０からのソール５２の離脱が生じにくい靴が得られる。
【００３４】
前述の通り、リベット１４は中空である。履き物４８の内部で生じた水蒸気は、内材１２を通過し、さらにリベット１４を通じて外部へと排出される。この履き物４８は、通気性に優れる。
【産業上の利用可能性】
【００３５】
本発明に係る履き物は、種々の釣り場において利用されうる。本発明に係る履き物には、ブーツ及びウェーダーが含まれる。
【図面の簡単な説明】
【００３６】
【図１】図１は、本発明の一実施形態に係る釣り用履き物が示された正面図である。
【図２】図２は、図１のII−II線に沿った拡大断面図である。
【図３】図３は、図２の履き物の製造方法が説明されるための断面図である。
【図４】図４は、図２の履き物の製造方法が説明されるための断面図である。
【図５】図５は、図２の履き物の製造方法が説明されるための断面図である。
【図６】図６は図２の履き物の製造方法が説明されるための断面図である。
【図７】図７は、本発明の他の実施形態に係る釣り用履き物の一部が示された断面図である。
【符号の説明】
【００３７】
２、４８・・・釣り用履き物
４、５０・・・アッパー
６、５２・・・ソール
８・・・フェルト
１０・・・面ファスナー
１２・・・内材
１４・・・リベット
１６、５４・・・本体
２０、５６・・・芯板
２８、６６・・・基部
３０、６８・・・起立部
３２・・・くぼみ
４０・・・内フランジ
４２・・・軸
４４・・・外フランジ
６０・・・側壁
【図１】
2008194370.tif 000003
【図２】
2008194370.tif 000004
【図３】
2008194370.tif 000005
【図４】
2008194370.tif 000006
【図５】
2008194370.tif 000007
【図６】
2008194370.tif 000008
【図７】
2008194370.tif 000009